(57)【要約】【課題】  柱省略した広い連続空間を形成するユニット建物において、柱省略に起因する強度低下を簡易に補強すること。【解決手段】  ユニット建物１０であって、相対する継ぎ天井梁１２１それぞれの梁内に納められ、それらの梁間に渡る継ぎ材１２２を設け、継ぎ材１２２の一端側を一方側の継ぎ天井梁１２１に接合し、継ぎ材１２２の他端側を他方側の継ぎ天井梁１２１に接合するもの。【選択図】  図１
2007032079.tif 000002
【特許請求の範囲】
【請求項１】
柱と床梁と天井梁を接合した建物ユニットを隣接設置して構築され、
相隣る複数の建物ユニットのそれぞれに定めた柱省略コーナー部を柱省略接合部にて互いに突合せ配置し、
相隣る建物ユニットの柱省略接合部を含む同一面内で該柱省略コーナー部に交差配置されている天井梁を継ぎ天井梁とし、
相隣る建物ユニットの柱省略接合部にて相対する継ぎ天井梁同士を接合してなるユニット建物であって、
相対する継ぎ天井梁それぞれの梁内に納められ、それらの梁間に渡る継ぎ材を設け、継ぎ材の一端側を一方側の継ぎ天井梁に接合し、継ぎ材の他端側を他方側の継ぎ天井梁に接合するユニット建物。
【請求項２】
前記継ぎ天井梁がリップ付き形鋼にて形成される請求項１に記載のユニット建物。
【請求項３】
前記継ぎ材がリップ付き形鋼にて形成される請求項２に記載のユニット建物。
【請求項４】
前記相隣る建物ユニットがそれらの建物ユニットに渡る玄関を形成し、それらの継ぎ天井梁同士の接合部の下部に玄関入口を設ける請求項１〜３のいずれかに記載のユニット建物。
【請求項５】
前記相隣る建物ユニットがそれらの建物ユニットに渡る車庫を形成し、それらの継ぎ天井梁同士の接合部の下部に車庫入口を設ける請求項１〜３のいずれかに記載のユニット建物。
【請求項６】
前記相隣る建物ユニットがそれらの建物ユニットに渡る居室を形成し、それらの継ぎ天井梁同士の接合部の下部に居室開口を設ける請求項１〜３のいずれかに記載のユニット建物。
【請求項７】
前記相隣る建物ユニットがそれらの柱省略接合部を建物内部に配置し、それらの建物ユニットに渡る水平連続空間を形成する請求項１〜３のいずれかに記載のユニット建物。
【請求項８】
前記相隣る建物ユニットを下階建物ユニットとし、この下階建物ユニットの柱省略コーナー部で、前記継ぎ天井梁に交差する天井梁を切除し、
下階建物ユニットの上に搭載した上階建物ユニットの床梁のうち、上記下階建物ユニットの天井梁の切除部に対応するものを設けず、
下階建物ユニットから上階建物ユニットに渡る吹抜け空間を形成する請求項１〜３のいずれかに記載のユニット建物。
【請求項９】
請求項１〜８のいずれかに記載のユニット建物の構築方法において、
相対する継ぎ天井梁の一方の梁内に納めてあった継ぎ材をスライドし、その他端側を他方の梁内に納め、該継ぎ材をそれらの梁間に渡すユニット建物の構築方法。
【請求項１０】
前記柱が省略される建物ユニットとして、柱省略コーナー部に仮柱を着脱自在としてなるものを用い、建物ユニットに継ぎ天井梁を接続完了するまでは仮柱を設けておき、継ぎ天井梁の接続完了後に仮柱を取外す請求項９に記載のユニット建物の構築方法。
【発明の詳細な説明】
【技術分野】
【０００１】
本発明はユニット建物に関する。
【背景技術】
【０００２】
柱省略した広い連続空間を形成可能にするユニット建物として、特許文献１に記載の如く、相隣る建物ユニットのそれぞれに定めた柱省略コーナー部を柱省略接合部にて互いに突合せ配置し、柱省略接合部の一方側の建物ユニットの天井梁の側から、他方側の建物ユニットの天井梁の側に渡る補強梁を設け、補強梁の一端部を一方側の建物ユニットの柱まわりに接合し、補強梁の他端部を他方側の建物ユニットの柱まわりに接合してなるものがある。
【０００３】
尚、本出願人は、柱省略した広い連続空間を形成可能にする他のユニット建物として、特許文献２に記載のものを特許出願している。このユニット建物は、相隣る建物ユニットの柱省略接合部を含む同一面内で該柱省略コーナー部に交差配置されている天井梁を継ぎ天井梁とし、相隣る建物ユニットの柱省略接合部にて相対する継ぎ天井梁同士を接合してなるものである。柱省略接合部の一方側の継ぎ天井梁の側から、他方側の継ぎ天井梁の側に延在し、それらの継ぎ天井梁に添設される継ぎ材を設け、継ぎ材の一端側を一方側の継ぎ天井梁に接合し、継ぎ材の他端側を他方側の継ぎ天井梁に接合するものである。
【特許文献１】特許3260266
【特許文献２】特願2004-124349
【発明の開示】
【発明が解決しようとする課題】
【０００４】
特許文献１の従来技術には以下の問題点がある。
(1)両建物ユニットの柱省略接合部を含む同一面内で柱省略コーナー部に交差配置されている天井梁に補強梁を添設するに際し、補強梁が一方側の建物ユニットの側から他方側の建物ユニットに渡る長尺梁となり、材料の管理、施工上の困難が大きい。
【０００５】
(2)補強梁を天井梁の外側に添設するものであり、両建物ユニットの周辺に補強梁の設置スペースを余分に必要とする。両建物ユニットの側傍に他の建物ユニットを設置する場合には、他の建物ユニットとの間に補強梁を配置するに足る大きな間隙を設ける必要がある。
【０００６】
尚、特許文献２の先願技術では、相対する継ぎ天井梁それぞれの下フランジの内側面に下内側継ぎ材を、下フランジの外側面に下外側継ぎ材を添設し、それらの下内側継ぎ材と下外側継ぎ材をボルト接合するとともに、上フランジの内側面に上内側継ぎ材を、上フランジの外側面に上外側継ぎ材を添設し、それらの上内側継ぎ材と上外側継ぎ材をボルト接合するものである。継ぎ材が４部品に分散するところに不都合がある。
【０００７】
本発明の課題は、柱省略した広い連続空間を形成するユニット建物において、柱省略に起因する強度低下を簡易に補強することにある。
【課題を解決するための手段】
【０００８】
請求項１の発明は、柱と床梁と天井梁を接合した建物ユニットを隣接設置して構築され、相隣る複数の建物ユニットのそれぞれに定めた柱省略コーナー部を柱省略接合部にて互いに突合せ配置し、相隣る建物ユニットの柱省略接合部を含む同一面内で該柱省略コーナー部に交差配置されている天井梁を継ぎ天井梁とし、相隣る建物ユニットの柱省略接合部にて相対する継ぎ天井梁同士を接合してなるユニット建物であって、相対する継ぎ天井梁それぞれの梁内に納められ、それらの梁間に渡る継ぎ材を設け、継ぎ材の一端側を一方側の継ぎ天井梁に接合し、継ぎ材の他端側を他方側の継ぎ天井梁に接合するようにしたものである。
【０００９】
請求項２の発明は、請求項１の発明において更に、前記継ぎ天井梁がリップ付き形鋼にて形成されるようにしたものである。
【００１０】
請求項３の発明は、請求項２の発明において更に、前記継ぎ材がリップ付き形鋼にて形成されるようにしたものである。
【００１１】
請求項４の発明は、請求項１〜３のいずれかの発明において更に、前記相隣る建物ユニットがそれらの建物ユニットに渡る玄関を形成し、それらの継ぎ天井梁同士の接合部の下部に玄関入口を設けるようにしたものである。
【００１２】
請求項５の発明は、請求項１〜３のいずれかの発明において更に、前記相隣る建物ユニットがそれらの建物ユニットに渡る車庫を形成し、それらの継ぎ天井梁同士の接合部の下部に車庫入口を設けるようにしたものである。
【００１３】
請求項６の発明は、請求項１〜３のいずれかの発明において更に、前記相隣る建物ユニットがそれらの建物ユニットに渡る居室を形成し、それらの継ぎ天井梁同士の接合部の下部に居室開口を設けるようにしたものである。
【００１４】
請求項７の発明は、請求項１〜３のいずれかの発明において更に、前記相隣る建物ユニットがそれらの柱省略接合部を建物内部に配置し、それらの建物ユニットに渡る水平連続空間を形成するようにしたものである。
【００１５】
請求項８の発明は、請求項１〜３のいずれかの発明において更に、前記相隣る建物ユニットを下階建物ユニットとし、この下階建物ユニットの柱省略コーナー部で、前記継ぎ天井梁に交差する天井梁を切除し、下階建物ユニットの上に搭載した上階建物ユニットの床梁のうち、上記下階建物ユニットの天井梁の切除部に対応するものを設けず、下階建物ユニットから上階建物ユニットに渡る吹抜け空間を形成するようにしたものである。
【００１６】
請求項９の発明は、請求項１〜８のいずれかに記載のユニット建物の構築方法において、相対する継ぎ天井梁の一方の梁内に納めてあった継ぎ材をスライドし、その他端側を他方の梁内に納め、該継ぎ材をそれらの梁間に渡すようにしたものである。
【００１７】
請求項１０の発明は、請求項９の発明において更に、前記柱が省略される建物ユニットとして、柱省略コーナー部に仮柱を着脱自在としてなるものを用い、建物ユニットに継ぎ天井梁を接続完了するまでは仮柱を設けておき、継ぎ天井梁の接続完了後に仮柱を取外すようにしたものである。
【発明の効果】
【００１８】
（請求項１）
(a)相隣る建物ユニットのそれぞれにおいて柱省略コーナー部に交差する継ぎ天井梁同士をそれらの梁内に納めた継ぎ材により接合することにて、それらの継ぎ天井梁を両建物ユニットに渡って連続する長尺梁の如くに一本化した。従って、建物ユニットとは別個の長尺梁を用いることなく、柱省略したユニット建物を補強でき、材料の管理性、施工性が良い。
【００１９】
(b)継ぎ天井梁の梁内に納めた継ぎ材によりユニット建物を補強でき、継ぎ天井梁の外側に他の補強部材を添設する必要がない。継ぎ材を単一部品化して接合強度効率を高め、部品管理工数を低減し、接合作業工数も低減できる。建物ユニットの側傍に他の建物ユニットを設置する場合にも、他の建物ユニットとの間に補強部材のための設置間隙の如くを設ける必要がない。
【００２０】
（請求項２）
(c)継ぎ天井梁をリップ付き形鋼にて形成することにより、継ぎ材を該形鋼のＣ型スペース内にコンパクトに納めることができる。
【００２１】
（請求項３）
(d)継ぎ材をリップ付き形鋼にて形成することにより、同じくリップ付き形鋼からなる継ぎ天井梁の梁内に継ぎ材を嵌め込む如くにコンパクトに納めることができる。両リップ付き形鋼の例えば上フランジ同士、下フランジ同士をボルト接合することにより、高い接合強度を得ることができる。
【００２２】
（請求項４）
(e)相隣る建物ユニットがそれらの建物ユニットに渡る玄関を形成し、それらの継ぎ天井梁同士の接合部の下部に玄関入口を設けるようにした。従って、継ぎ材によりユニット建物の構造強度を確保しながら、相隣る建物ユニットに渡る玄関と玄関入口を形成できる。
【００２３】
（請求項５）
(f)相隣る建物ユニットがそれらの建物ユニットに渡る車庫を形成し、それらの継ぎ天井梁同士の接合部の下部に車庫入口を設けるようにした。従って、継ぎ材によりユニット建物の構造強度を確保しながら、相隣る建物ユニットに渡る車庫と車庫入口を形成できる。
【００２４】
（請求項６）
(g)相隣る建物ユニットがそれらの建物ユニットに渡る居室を形成し、それらの継ぎ天井梁同士の接合部の下部に居室開口を設けるようにした。従って、継ぎ材よりユニット建物の構造強度を確保しながら、相隣る建物ユニットに渡る居室と居室開口を形成できる。
【００２５】
（請求項７）
(h)相隣る建物ユニットがそれらの柱省略接合部を建物内部に配置し、それらの建物ユニットに渡る水平連続空間を形成するようにした。従って、継ぎ材によりユニット建物の構造強度を確保しながら、相隣る建物ユニットに渡る水平連続空間を形成できる。
【００２６】
（請求項８）
(i)下階建物ユニットの柱省略コーナー部で、継ぎ天井梁に交差する天井梁を切除し、下階建物ユニットの上に搭載した上階建物ユニットの床梁のうち、下階建物ユニットの天井梁の切除部に対応するものを設けないようにした。従って、継ぎ材によりユニット建物の構造強度を確保しながら、下階建物ユニットから上階建物ユニットに渡る吹抜け空間を形成できる。
【００２７】
（請求項９）
(j)相対する継ぎ天井梁の一方の梁内に納めてあった継ぎ材をスライドし、その他端側を他方の梁内に納め、該継ぎ材をそれらの梁間に渡すようにした。従って、施工性が良い。例えば一方の継ぎ天井梁のリップ付き形鋼内に納めてあったリップ付き形鋼の継ぎ材を他方の継ぎ天井梁の側にスライドさせることにより、該継ぎ材をそれらの継ぎ天井梁間に簡易に渡すことができる。
【００２８】
（請求項１０）
(k)建物ユニットの柱省略コーナー部に設けた仮柱は、該建物ユニットの工場製造段階、輸送保管段階を経た現地据付け後、継ぎ天井梁の接続完了まで取外されない。従って、継ぎ天井梁の接続時の建物ユニットの強度を低下せしめることがなく、施工段階の建物強度も十分に確保でき、施工性は良い。
【発明を実施するための最良の形態】
【００２９】
図１は本発明の柱省略補強構造が適用されたユニット建物を示し、（Ａ）は一例を示す模式斜視図、（Ｂ）は他の例を示す模式斜視図、図２は標準建物ユニットを示す模式斜視図、図３は本発明の継ぎ天井梁と継ぎ材を示し、（Ａ）は一方側から視た模式斜視図、（Ｂ）は断面図、（Ｃ）は継ぎ材のスライド過程を示す模式斜視図、図４は例１のユニット建物を示す模式斜視図、図５は例１のユニット建物を示し、（Ａ）は下階平面図、（Ｂ）は上階平面図、図６は例２のユニット建物を示す模式斜視図、図７は例３のユニット建物を示す模式斜視図、図８は例３のユニット建物を示し、（Ａ）は下階平面図、（Ｂ）は上階平面図、図９は例４のユニット建物を示す模式斜視図、図１０は例４の下階建物ユニットを示す模式斜視図、図１１は例４のユニット建物を示し、（Ａ）は下階平面図、（Ｂ）は上階平面図、図１２は例５のユニット建物を示す模式斜視図、図１３は例５のユニット建物を示し、（Ａ）は下階建物ユニットを示す模式斜視図、（Ｂ）は上階建物ユニットを示す模式斜視図、図１４は例５のユニット建物を示し、（Ａ）は下階平面図、（Ｂ）は上階平面図である。
【実施例】
【００３０】
図１は、本発明の柱省略補強構造が適用されたユニット建物１０の一部を示すものである。ユニット建物１０は、複数の建物ユニット２０を左右上下に隣接設置して構築されるものであるが、その一部を構成する４個の柱省略建物ユニット１２０により柱省略した広い連続空間を形成するものである。
【００３１】
建物ユニット２０は、標準的には、図２に示した如く、４本の角鋼管製柱２１と、４本の形鋼製床梁２２と、４本の形鋼製天井梁２３とを箱形に接合した骨組構造体である。建物ユニット２０は、４個のコーナー部で、相交差する床梁２２を柱２１の下端部に接続し、相交差する天井梁２３を柱２２の上端部に接合して構成される。
【００３２】
柱省略建物ユニット１２０は、図１（Ａ）に示す如く、標準建物ユニット２０の４本の柱２１のうちの１本の柱２１を省略したものである。柱省略建物ユニット１２０は、床梁２２については、柱省略コーナー部以外の３個のコーナー部で、相交差する床梁２２を柱２１の下端部に接合し、柱省略コーナー部で、相交差する床梁２２を互いに接合している。柱省略建物ユニット１２０は、天井梁２３については、柱省略コーナー部に交差配置される天井梁２３のうち、妻方向に沿う天井梁２３を継ぎ天井梁１２１とし、他の天井梁２３を標準天井梁２３とする。標準天井梁２３と柱２１の上端部を接合し、継ぎ天井梁１２１と柱２１の上端部を接合し、継ぎ天井梁１２１と天井梁２３を接合している。
【００３３】
柱省略建物ユニット１２０は、継ぎ天井梁１２１の断面強度を他の標準天井梁２３の断面強度より高くしている。継ぎ天井梁１２１は、リップ付Ｃ形鋼からなるものとされる。
【００３４】
柱省略建物ユニット１２０は、柱省略コーナー部に仮柱１２４を着脱自在としている。
仮柱１２４は、ボルト、ピン等の着脱手段により、床梁２２と、天井梁２３、１２１に着脱自在に結合される。
【００３５】
ユニット建物１０にあっては、２個の柱省略建物ユニット１２０（１２０Ａ、１２０Ｂ）のそれぞれに定めた柱省略コーナー部を柱省略接合部１１にて互いに突合せ配置する。
【００３６】
相対応する柱省略建物ユニット１２０Ａと柱省略建物ユニット１２０Ｂの間で、両者の柱省略接合部１１を含む同一面内でそれらの柱省略コーナー部に交差配置されている天井梁２３を前述の継ぎ天井梁１２１とする。本発明の柱省略補強構造は、このようにして両建物ユニット１２０Ａ、１２０Ｂの柱省略接合部１１にて相対する継ぎ天井梁１２１同士を継ぎ材１２２により接合するものである。継ぎ材１２２は、図３に示す如く、相対する継ぎ天井梁１２１それぞれの梁内に納められ、それらの梁間に渡る。継ぎ材１２２は、継ぎ天井梁１２１のリップ付きＣ形鋼の内側に概ね隙間なく嵌合して納まるリップ付きＣ形鋼からなるものとされる。
【００３７】
継ぎ材１２２の一端側の上フランジを一方側の継ぎ天井梁１２１の上フランジに高力ボルト１２３により剛接合し、継ぎ材１２２の一端側の下フランジを一方側の継ぎ天井梁１２１の下フランジに高力ボルト１２３により剛接合し、継ぎ材１２２の他端側の上フランジを他方側の継ぎ天井梁１２１の上フランジに高力ボルト１２３により剛接合し、継ぎ材１２２の他端側の下フランジを他方側の継ぎ天井梁１２１の下フランジに高力ボルト１２３により剛接合する（図３（Ｂ））。高力ボルト１２３としては、トルシア形、六角ボルト形等を採用できる。
【００３８】
相対する継ぎ天井梁１２１同士を継ぎ材１２２により接合するに際しては、図３（Ｃ）に示す如く、一方の継ぎ天井梁１２１の梁内に納めてあった継ぎ材１２２をその梁内で軸方向にスライドし、継ぎ材１２２の他端側を他方の継ぎ天井梁１２１の梁内に挿入させて納め、結果として継ぎ材１２２をそれらの継ぎ天井梁１２１の梁間に渡す。
【００３９】
尚、柱省略建物ユニット１２０は、図１（Ｂ）に示す如く、床梁２２についても、柱省略コーナー部に交差配置される床梁２２のうち、妻方向に沿う床梁２２を継ぎ床梁１３１とし、他の床梁２２を標準床梁２２としても良い。標準床梁２２と柱２１の下端部を接合し、継ぎ床梁１３１と柱２１の下端部を接合し、継ぎ床梁１３１と床梁２２を接合する。柱省略建物ユニット１２０は、継ぎ床梁１３１の断面強度を他の標準床梁２２の断面強度より高くしている。継ぎ床梁１３１は、リップ付きＣ形鋼からなるものとされる。相対する柱省略建物ユニット１２０Ａと柱省略建物ユニット１２０Ｂの間で、両者の柱省略接合部１１を含む同一面内でそれらの柱省略コーナー部に交差配置されている床梁２２を上述の継ぎ床梁１３１とする。このようにして両建物ユニット１２０Ａ、１２０Ｂの柱省略接合部１１にて相対する継ぎ床梁１３１同士を継ぎ材１３２により接合する。継ぎ材１３２は、相対する継ぎ床梁１３１それぞれの梁内に納められ、それらの梁間に渡る。継ぎ材１３２は、継ぎ床梁１３１のリップ付きＣ形鋼の内側に概ね隙間なく嵌合して納まるリップ付きＣ形鋼からなるものとされる。継ぎ材１３２の一端側の上フランジを一方側の継ぎ床梁１３１の上フランジに高力ボルト１３３（不図示）により剛接合し、継ぎ材１３２の一端側の下フランジを一方側の継ぎ床梁１３１の下フランジに高力ボルト１３３により剛接合し、継ぎ材１３２の他端側の上フランジを他方側の継ぎ床梁１３１の上フランジに高力ボルト１３３により剛接合し、継ぎ材１３２の他端側の下フランジを他方側の継ぎ床梁１３１の下フランジに高力ボルト１３３により剛接合する。高力ボルト１３３としては、トルシア形、六角ボルト形等を採用できる。
【００４０】
相対する継ぎ床梁１３１同士を継ぎ材１３２により接合するに際しては、一方の継ぎ床梁１３１の梁内に納めてあった継ぎ材１３２をその梁内で軸方向にスライドし、継ぎ材１３２の他端側を他方の継ぎ床梁１３１の梁内に挿入させて納め、結果として継ぎ材１３２をそれらの継ぎ天井梁１３１の梁間に渡す。
【００４１】
相対応する柱省略建物ユニット１２０Ａと柱省略建物ユニット１２０Ｂの間で、相対する継ぎ天井梁１２１同士が継ぎ材１２２により接合されるとき、また、相対する継ぎ床梁１３１同士が継ぎ材１３２により接合されるとき、各建物ユニット１２０の柱省略コーナー部には仮柱１２４が設置される。そして、相対する継ぎ天井梁１２１同士が接合され、また、相対する継ぎ床梁１３１同士が接合された後、仮柱１２４が取外される。
【００４２】
本実施例によれば以下の作用効果を奏する。
(a)相隣る建物ユニット１２０Ａ、１２０Ｂのそれぞれにおいて柱省略コーナー部に交差する継ぎ天井梁１２１同士をそれらの梁内に納めた継ぎ材１２２により接合することにて、それらの継ぎ天井梁１２１を両建物ユニット１２０Ａ、１２０Ｂに渡って連続する長尺梁の如くに一本化した。従って、建物ユニット１２０Ａ、１２０Ｂとは別個の長尺梁を用いることなく、柱省略したユニット建物１０を補強でき、材料の管理性、施工性が良い。
【００４３】
(b)継ぎ天井梁１２１の梁内に納めた継ぎ材１２２によりユニット建物１０を補強でき、継ぎ天井梁１２１の外側に他の補強部材を添設する必要がない。継ぎ材１２２を単一部品化して接合強度効率を高め、部品管理工数を低減し、接合作業工数も低減できる。建物ユニット１２０Ａ、１２０Ｂの側傍に他の建物ユニットを設置する場合にも、他の建物ユニットとの間に補強部材のための設置間隙の如くを設ける必要がない。
【００４４】
(c)継ぎ天井梁１２１をリップ付き形鋼にて形成することにより、継ぎ材１２２を該形鋼のＣ型スペース内にコンパクトに納めることができる。
【００４５】
(d)継ぎ材１２２をリップ付き形鋼にて形成することにより、同じくリップ付き形鋼からなる継ぎ天井梁１２１の梁内に継ぎ材１２２を嵌め込む如くにコンパクトに納めることができる。両リップ付き形鋼の例えば上フランジ同士、下フランジ同士をボルト接合することにより、高い接合強度を得ることができる。
【００４６】
(e)相対する継ぎ天井梁１２１の一方の梁内に納めてあった継ぎ材１２２をスライドし、その他端側を他方の梁内に納め、該継ぎ材１２２をそれらの梁間に渡すようにした。従って、施工性が良い。例えば一方の継ぎ天井梁１２１のリップ付き形鋼内に納めてあったリップ付き形鋼の継ぎ材１２２を他方の継ぎ天井梁１２１の側にスライドさせることにより、該継ぎ材１２２をそれらの継ぎ天井梁１２１間に簡易に渡すことができる。
【００４７】
(f)建物ユニット１２０Ａ、１２０Ｂの柱省略コーナー部に設けた仮柱１２４は、該建物ユニット１２０Ａ、１２０Ｂの工場製造段階、輸送保管段階を経た現地据付け後、継ぎ天井梁１２１の接続完了まで取外されない。従って、継ぎ天井梁１２１の接続時の建物ユニット１２０Ａ、１２０Ｂの強度を低下せしめることがなく、施工段階の建物強度も十分に確保でき、施工性は良い。
【００４８】
尚、本発明の実施において、継ぎ材１２２（１３２）は継ぎ天井梁１２１（継ぎ床梁１３１）の梁内に納められるものであれば良く、リップ付きＣ形鋼であることを必須としない。また、継ぎ天井梁１２１（継ぎ床梁１３１）の梁内に単一材の継ぎ材１２２（１３２）を納めるものに限らず、継ぎ天井梁１２１（継ぎ床梁１３１）の梁内の上フランジ側に上部継ぎ材を、同梁内の下フランジ側に下部継ぎ材を設ける如くに、継ぎ材１２２（１３２）を上下分割適用することもできる。
【００４９】
以下、本発明の上述した柱省略補強構造を適用してなるユニット建物１０の具体例について説明する。
【００５０】
（例１）（図４、図５）
図４、図５のユニット建物１０Ａは、複数の建物ユニット２０、１２０を左右上下に隣接設置して構築されたものである。図５（Ａ）は下階天井面のユニット配置を示し、図５（Ｂ）は上階床面のユニット配置を示す。
【００５１】
ユニット建物１０Ａでは、下階にて相隣る２個の柱省略建物ユニット１２０Ａ、１２０Ｂが、それらに定めた柱省略コーナー部を柱省略接合部１１にて互いに突合せ配置し、両建物ユニット１２０Ａ、１２０Ｂの柱省略接合部１１にて相対する継ぎ天井梁１２１同士を継ぎ材１２２により接合したものである。
【００５２】
ユニット建物１０Ａは、両建物ユニット１２０Ａ、１２０Ｂの柱省略接合部１１を挟んでそれらの建物ユニット１２０Ａ、１２０Ｂに渡る玄関２００を形成し、それらの継ぎ天井梁１２１同士の接合部（継ぎ材１２２）の下部に玄関入口２０１を設けた。
【００５３】
ユニット建物１０Ａによれば、継ぎ材１２２によりユニット建物１０Ａの構造強度を確保しながら、相隣る建物ユニット１２０Ａ、１２０Ｂに渡る玄関２００と玄関入口２０１を形成できる。
【００５４】
（例２）（図６）
図６のユニット建物１０Ｂは、複数の建物ユニット２０、１２０を例１のユニット建物１０Ａにおけると同様に、隣接設置して構築され、両建物ユニット１２０Ａ、１２０Ｂの柱省略接合部１１を挟んでそれらの建物ユニット１２０Ａ、１２０Ｂに渡る車庫３００を形成し、それらの継ぎ天井梁１２１同士の接合部（継ぎ材１２２）の下部に車庫入口３０１を設けた。
【００５５】
ユニット建物１０Ｂによれば、継ぎ材１２２によりユニット建物１０Ｂの構造強度を確保しながら、相隣る建物ユニット１２０Ａ、１２０Ｂに渡る車庫３００と車庫入口３０１を形成できる。
【００５６】
（例３）（図７、図８）
図７のユニット建物１０Ｃは、複数の建物ユニット２０、１２０を左右上下に隣接設置して構築されたものである。図８（Ａ）は下階天井面のユニット配置を示し、図８（Ｂ）は上階天井面のユニット配置を示す。
【００５７】
ユニット建物１０Ｃでは、上階にて相隣る２個の建物ユニット１２０Ａ、１２０Ｂが、それらに定めた柱省略コーナー部を柱省略接合部１１にて互いに突合せ配置し、両建物ユニット１２０Ａ、１２０Ｂの柱省略接合部１１にて相対する継ぎ天井梁１２１同士を継ぎ材１２２により接合したものである。
【００５８】
ユニット建物１０Ｃでは、両建物ユニット１２０Ａ、１２０の柱省略接合部１１を挟んでそれらの建物ユニット１２０Ａ、１２０Ｂに渡る居室４００を形成し、それらの継ぎ天井梁１２１同士の接合部（継ぎ材１２２）の下部に居室開口４０１を設けた。
【００５９】
ユニット建物１０Ｃによれば、継ぎ材１２２よりユニット建物１０Ｃの構造強度を確保しながら、相隣る建物ユニット１２０Ａ、１２０Ｂに渡る居室４００と居室開口４０１を形成できる。
【００６０】
（例４）（図９〜図１１）
図９〜図１１のユニット建物１０Ｄは、複数の建物ユニット２０、１２０を左右上下に隣接設置して構築されたものである。図１０は下階のユニット配置を示し、図１１（Ａ）は下階天井面のユニット配置を示し、図１１（Ｂ）は上階床面のユニット配置を示す。
【００６１】
ユニット１０Ｄでは、下階にて相隣る３列をなし、かつ各列内で相隣る２個の柱省略建物ユニット１２０Ａ、１２０Ｂが、それらに定めた柱省略コーナー部を建物内部の柱省略接合部１１にて互いに突合せ配置し、両建物ユニット１２０Ａ、１２０Ｂの柱省略接合部１１にて相対する継ぎ天井梁１２１同士を継ぎ材１２２により接合したものである。
【００６２】
ユニット建物１０Ｄは、相隣る建物ユニット１２０Ａ、１２０Ｂがそれらの柱省略接合部１１を建物内部に配置し、それらの建物ユニット１２０Ａ、１２０Ｂに渡る水平連続空間５００を形成する。水平連続空間５００は、結果として３列の柱省略建物ユニット１２０、換言すれば全６個の柱省略建物ユニット１２０に渡る大空間をなす。
【００６３】
ユニット建物１０Ｄによれば、継ぎ材１２２によりユニット建物１０Ｄの構造強度を確保しながら、相隣る建物ユニット１２０Ａ、１２０Ｂに渡る水平連続空間５００を形成できる。
【００６４】
（例５）（図１２〜図１４）
図１２〜図１４のユニット建物１０Ｅは複数の建物ユニット２０、１２０を左右上下に隣接設置して構築されたものである。図１３（Ａ）は下階のユニット建物を示し、図１３（Ｂ）は上階のユニット建物を示し、図１４（Ａ）は下階天井面のユニット配置を示し、図１４（Ｂ）は上階床面のユニット配置を示す。
【００６５】
(a)ユニット建物１０Ｅでは、下階前側にて相隣る２個の柱省略建物ユニット１２０Ａ、１２０Ｂが、それらの前面に定めた柱省略コーナー部を建物前面側の柱省略接合部１１にて互いに突合せ配置し、それらの両建物ユニット１２０Ａ、１２０Ｂの上記柱省略接合部１１にて相対する継ぎ天井梁１２１同士を継ぎ材１２２により接合したものである。
【００６６】
ユニット建物１０Ｅは、両建物ユニット１２０Ａ、１２０Ｂの継ぎ天井梁１２１同士の接合部（継ぎ材１２２）の下部に居室開口６０１を設けた。
【００６７】
(b)ユニット建物１０Ｅでは、下階にて相隣る２列をなし、かつ各列内で相隣る２個の柱省略建物ユニット１２０Ａ、１２０Ｂが、それらに定めた柱省略コーナー部を建物内部の柱省略接合部１１にて互いに突合せ配置し、両建物ユニット１２０Ａ、１２０Ｂの柱省略接合部１１にて相対する継ぎ天井梁１２１同士を継ぎ材１２２により接合したものである（図１４（Ａ））。
【００６８】
建物ユニット１０Ｅは、相隣る建物ユニット１２０Ａ、１２０Ｂがそれらの柱省略接合部１１を建物内部に配置し、それらの建物ユニット１２０Ａ、１２０Ｂに渡る水平連続空間６００を形成する。水平連続空間６００は、結果として２列の柱省略建物ユニット１２０、換言すれば全４個の柱省略建物ユニット１２０に渡る大空間をなす。
【００６９】
(c)ユニット建物１０Ｅでは、下階前側にて相隣る２個の柱省略建物ユニット１２０Ａ、１２０Ｂの柱省略コーナー部で、継ぎ天井梁１２１に交差する天井梁２３を切除する。そして、下階の柱省略建物ユニット１２０Ａ、１２０Ｂの上に搭載した２個の上階建物ユニット３０の床梁２２のうち、下階の柱省略建物ユニット１２０Ａ、１２０Ｂの天井梁２３の切除部に対応するものを設けず、下階の柱省略建物ユニット１２０Ａ、１２０Ｂの水平連続空間６００から上階の建物ユニット３０に渡る吹抜け空間７００を形成した。
【００７０】
ユニット建物１０Ｅの施工過程では、下階の建物ユニット１２０Ａ、１２０Ｂの天井梁２３の切除部には仮梁１２５が設けられ、上階の建物ユニット３０の床梁２２の切除部にも仮梁１２６が設けられ、これらの仮梁１２５、１２６はユニット建物１０Ｅの施工最終段階で取外し除去される。
【００７１】
尚、ユニット建物１０Ｅでは、下階の建物ユニット１２０Ａ、１２０Ｂの継ぎ天井梁１２１に対応する上階の２個の建物ユニット３０の床梁２２を継ぎ床梁１３１とし、相対する継ぎ床梁１３１同士を継ぎ材１３２により接合する（図１４（Ｂ））。
【００７２】
ユニット建物１０Ｅによれば、下階建物ユニット１２０Ａ、１２０Ｂの柱省略コーナー部で、継ぎ天井梁１２１に交差する天井梁２３を切除し、下階建物ユニット１２０Ａ、１２０Ｂの上に搭載した上階建物ユニット３０の床梁２２のうち、下階建物ユニット１２０Ａ、１２０Ｂの天井梁２３の切除部に対応するものを設けないようにした。従って、継ぎ材１２１によりユニット建物１０Ｅの構造強度を確保しながら、下階建物ユニット１２０Ａ、１２０Ｂから上階建物ユニット３０に渡る吹抜け空間７００を形成できる。
【００７３】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の建物ユニットは、３個以上の柱省略建物ユニットの柱省略コーナー部を柱省略接合部にて互いに突合せ接合するものでも良い。
【図面の簡単な説明】
【００７４】
【図１】図１は本発明の柱省略補強構造が適用されたユニット建物を示し、（Ａ）は一例を示す模式斜視図、（Ｂ）は他の例を示す模式斜視図である。
【図２】図２は標準建物ユニットを示す模式斜視図である。
【図３】図３は本発明の継ぎ天井梁と継ぎ材を示し、（Ａ）は一方側から視た模式斜視図、（Ｂ）は断面図、（Ｃ）は継ぎ材のスライド過程を示す模式斜視図である。
【図４】図４は例１のユニット建物を示す模式斜視図である。
【図５】図５は例１のユニット建物を示し、（Ａ）は下階平面図、（Ｂ）は上階平面図である。
【図６】図６は例２のユニット建物を示す模式斜視図である。
【図７】図７は例３のユニット建物を示す模式斜視図である。
【図８】図８は例３のユニット建物を示し、（Ａ）は下階平面図、（Ｂ）は上階平面図である。
【図９】図９は例４のユニット建物を示す模式斜視図である。
【図１０】図１０は例４の下階建物ユニットを示す模式斜視図である。
【図１１】図１１は例４のユニット建物を示し、（Ａ）は下階平面図、（Ｂ）は上階平面図である。
【図１２】図１２は例５のユニット建物を示す模式斜視図である。
【図１３】図１３は例５のユニット建物を示し、（Ａ）は下階建物ユニットを示す模式斜視図、（Ｂ）は上階建物ユニットを示す模式斜視図である。
【図１４】図１４は例５のユニット建物を示し、（Ａ）は下階平面図、（Ｂ）は上階平面図である。
【符号の説明】
【００７５】
１０、１０Ａ、１０Ｂ、１０Ｃ、１０Ｄ、１０Ｅ  ユニット建物
１１  柱省略接合部
２０  建物ユニット
２１  柱
２２  床梁
２３  天井梁
３０  上階建物ユニット
１２０、１２０Ａ、１２０Ｂ  柱省略建物ユニット
１２１  継ぎ天井梁
１２２  継ぎ材
１２４  仮柱
２００  玄関
２０１  玄関入口
３００  車庫
３０１  車庫入口
４００  居室
４０１  居室開口
５００  水平連続空間
６００  水平連続空間
６０１  居室開口
７００  吹抜け空間
【図１】
2007032079.tif 000003
【図２】
2007032079.tif 000004
【図３】
2007032079.tif 000005
【図４】
2007032079.tif 000006
【図５】
2007032079.tif 000007
【図６】
2007032079.tif 000008
【図７】
2007032079.tif 000009
【図８】
2007032079.tif 000010
【図９】
2007032079.tif 000011
【図１０】
2007032079.tif 000012
【図１１】
2007032079.tif 000013
【図１２】
2007032079.tif 000014
【図１３】
2007032079.tif 000015
【図１４】
2007032079.tif 000016